Podtech/llm-jp-corpus-v4-ja_patent huggingface dataset:
【手続補正書】
【提出日】令和1年7月18日(2019.7.18)
【手続補正１】
【補正対象書類名】特許請求の範囲
【補正対象項目名】全文
【補正方法】変更
【補正の内容】
【特許請求の範囲】
【請求項１】
吸入可能な液体を患者に送出するための吸入器デバイスであって、前記装置が長尺本体を備え、長尺本体が、
（１）基端部と、
（２）マウスピースチャンバを備えるマウスピース端部と、
（３）外部液体貯留容器から吸入可能な液体を受けるための受動蒸発支持材料と、少なくとも１つの空気入口穴とを備える空気取り入れチャンバと、
（４）吸入可能な液体を前記外部液体貯留容器から前記空気取り入れチャンバ内へ及び前記受動蒸発支持材料上へ送出するための液体入口穴であって、液体入口ガイドを随意的に備える、液体入口穴と、
（５）前記長尺本体内に空気濾過手段を内部で受け入れるようになっているとともに、前記基端部に随意的に位置される少なくとも１つの空気出口穴を備える空気出口チャンバと、
（６）前記長尺本体をその長手方向軸に沿って前記基端部から部分的に分割して、前記マウスピースチャンバで終端し、前記空気取り入れチャンバの床と前記空気出口チャンバの屋根とを形成する内部棚と、
を備える、吸入器デバイス。
【請求項２】
前記内部棚は、前記空気出口チャンバに対する前記空気取り入れチャンバの内容積を５：９５〜９５：５又は１０：９０〜９０：１０の範囲から選択される比率で分けるように前記長尺本体内に位置される請求項１に記載の吸入器。
【請求項３】
液体貯留容器を内部で保持するための貯留チャンバを更に備え、前記貯留チャンバは、吸入可能な液体を前記液体貯留容器から前記空気取り入れチャンバ内へ及び前記受動蒸発支持材料上へ送出するようになっている請求項１又は２に記載の吸入器。
【請求項４】
吸入可能な液体を患者に送出するための吸入器デバイスであって、前記装置が長尺本体を備え、長尺本体が、
（１）基端部と、
（２）マウスピースチャンバを備えるマウスピース端部と、
（３）液体貯留容器から吸入可能な液体を受けるための受動蒸発支持材料と、少なくとも１つの空気入口穴とを備える空気取り入れチャンバと、
（４）前記長尺本体内に空気濾過手段を内部で受け入れるようになっているとともに、前記基端部に随意的に位置される少なくとも１つの空気出口穴を備える空気出口チャンバと、
（５）前記長尺本体をその長手方向軸に沿って前記基端部から部分的に分割して、前記マウスピースチャンバで終端し、前記空気取り入れチャンバの床と前記空気出口チャンバの屋根とを形成する内部棚と、
を備え、
前記液体貯留容器が、前記空気取り入れチャンバ内に位置されるとともに、開放時に吸入可能な液体を前記受動蒸発支持材料上へ放出するように位置される、吸入器デバイス。
【請求項５】
吸入可能な液体を患者に送出するための吸入器デバイスであって、前記装置が長尺本体を備え、長尺本体が、
（１）基端部と、
（２）マウスピースチャンバを備えるマウスピース端部と、
（３）吸入可能な液体を受けるための受動蒸発支持材料と、少なくとも１つの空気入口穴とを備える空気取り入れチャンバと、
（４）吸入可能液体貯留容器を保持するための貯留チャンバであって、前記貯留チャンバが吸入可能な液体を前記液体貯留容器から前記空気取り入れチャンバ内へ及び前記受動蒸発支持材料上へ送出するようになっている、貯留チャンバと、
（５）空気濾過手段と少なくとも１つの空気出口穴とを備える空気出口チャンバと、
を備え、
前記貯留チャンバが前記基端部に位置され、前記空気取り入れチャンバが前記貯留チャンバと前記マウスピースチャンバとの間に介在して位置され、更に、前記空気出口チャンバが前記マウスピースチャンバ内に位置される、吸入器デバイス。
【請求項６】
前記マウスピース端部の前記内部棚に当接される二方向弁を更に備え、前記マウスピース端部を通じた患者による呼吸は、
（ａ）患者による吸気時に、前記空気取り入れチャンバと前記マウスピースチャンバとの間で前記二方向弁を開いて、蒸発した液体を蒸気の形態で患者に送出するとともに、前記空気出口チャンバと前記マウスピースチャンバとの間で前記二方向弁を閉じ、
（ｂ）患者による呼気時に、前記空気出口チャンバと前記マウスピースチャンバとの間で前記二方向弁を開いて、呼気を排気するとともに、前記空気取り入れチャンバと前記マウスピースチャンバとの間で前記二方向弁を閉じる、
請求項１から５のいずれか一項に記載の吸入器。
【請求項７】
前記空気取り入れチャンバと前記マウスピースチャンバとの間に一方向弁を更に備え、及び／又は、前記マウスピースチャンバと前記空気出口チャンバとの間に一方向弁を更に備える請求項１から６のいずれか１項に記載の吸入器。
【請求項８】
前記貯蔵チャンバが前記空気取り入れチャンバに対して移動可能であり、随意的に前記長尺本体の前記基端部に対して移動可能に接続される請求項３から７のいずれか一項に記載の吸入器。
【請求項９】
前記貯留チャンバは、未開封の吸入可能液体貯留容器を第１の位置に備え、前記貯留チャンバは、前記液体貯留容器を開放して吸入可能な液体を前記液体貯留容器から前記空気取り入れチャンバ内へ及び前記受動蒸発支持材料上へ送出するために第２の位置へ移動可能である請求項５から７のいずれか一項に記載の吸入器。
【請求項１０】
前記空気入口穴が空気取り入れ制御手段を更に備え、当該空気取り入れ制御手段は随意的に前記空気入口穴を調整可能に覆うように位置される調整可能カバーの形態を成す請求項１から９のいずれか一項に記載の吸入器。
【請求項１１】
前記調整可能カバーは、前記長尺本体の前記基端部に位置される回転可能なエンドキャップカバー、前記長尺本体の外周にわたって回転可能に装着されるスリーブカバー、スライド可能なカバー、及び、フラップカバーから成るグループから選択され、前記調整可能カバーは、随意的に、前記空気取り入れチャンバの空気入口開口と調整可能に位置合わせするための１つ以上の空気入口開口を備える請求項１０に記載の吸入器。
【請求項１２】
前記受動蒸発支持材料は、前記空気取り入れチャンバを通じた少なくとも２つの独立した長手方向空気流／蒸気経路を形成するようになっている請求項１から１１のいずれか一項に記載の吸入器。
【請求項１３】
前記受動蒸発支持材料が中心部を有し、３つ以上の長手方向導管を形成するために３つ以上の径方向アームが前記中心部から前記空気取り入れチャンバの内面まで延びる請求項１２に記載の吸入器。
【請求項１４】
前記液体貯留容器は、バイアル、アンプル、及び、蒸気不透過性の袋又はパケットから成るグループから選択される請求項１から１３のいずれか一項に記載の吸入器。
【請求項１５】
吸入可能な液体がハロゲン化揮発性液体であり、随意的に鎮痛剤として使用するためのメトキシフルランである請求項１から１４のいずれか一項に記載の吸入器。
【手続補正書】
【提出日】令和1年6月28日(2019.6.28)
【手続補正１】
【補正対象書類名】特許請求の範囲
【補正対象項目名】全文
【補正方法】変更
【補正の内容】
【特許請求の範囲】
【請求項１】
アルコールとガソリンとの供給混合物からアルコールを選択的に浸透気化させるための非対称複合膜であって、前記非対称複合膜は、
互いに反対側を向いた第１主面及び第２主面、並びに複数の細孔を含む多孔質基材と、
前記多孔質基材内に厚さを有する層を形成するように前記細孔の少なくともいくつかの中に配置された細孔充填ポリマーと、を含み、前記第１主面における又は前記第１主面に隣接した前記細孔充填ポリマーの量は、前記第２主面における又は前記第２主面に隣接した前記細孔充填ポリマーの量よりも多く、
前記細孔充填ポリマーは、ガソリンよりもアルコールに対して透過性がより高く、
前記複合膜は、
（ａ）前記細孔充填ポリマーと混合された液体イオン性化合物、又は
（ｂ）前記複合膜上に配置された非晶質フッ素系フィルム
のうちの少なくとも１つを更に含む、非対称複合膜。
【請求項２】
プラズマ蒸着されたフッ素系フィルムを含み、前記プラズマ蒸着されたフッ素系フィルムが、
直鎖状、分枝状、又は環状の飽和パーフルオロカーボン、
直鎖状、分枝状、又は環状の不飽和パーフルオロカーボン、
直鎖状、分枝状、又は環状の飽和部分フッ素化炭化水素、
直鎖状、分枝状、又は環状の不飽和部分フッ素化炭化水素、
フッ化カルボニル、
パーフルオロハイポフルオリド、
パーフルオロエーテル化合物、
酸素含有フッ化物、
フッ化ハロゲン、
硫黄含有フッ化物、
窒素含有フッ化物、
ケイ素含有フッ化物、
無機フッ化物、及び
希ガス含有フッ化物
から選択される１種以上のフッ素化化合物から誘導される、請求項１に記載の複合膜。
【請求項３】
前記プラズマ蒸着されたフッ素系フィルムが、ＣＦ４、ＳＦ６、Ｃ２Ｆ６、Ｃ３Ｆ８、Ｃ４Ｆ１０、Ｃ５Ｆ１２、Ｃ６Ｆ１４、Ｃ７Ｆ１６、Ｃ８Ｆ１８、Ｃ２Ｆ４、Ｃ３Ｆ６、Ｃ４Ｆ８、Ｃ５Ｆ１０、Ｃ６Ｆ１２、Ｃ４Ｆ６、Ｃ７Ｆ１４、Ｃ８Ｆ１６、ＣＦ３ＣＯＦ、ＣＦ２（ＣＯＦ）２、Ｃ３Ｆ７ＣＯＦ、ＣＦ３ＯＦ、Ｃ２Ｆ５ＯＦ、ＣＦ３ＣＯＯＦ、ＣＦ３ＯＣＦ３、Ｃ２Ｆ５ＯＣ２Ｆ５、Ｃ２Ｆ４ＯＣ２Ｆ４、ＯＦ２、ＳＯＦ２、ＳＯＦ４、ＮＯＦ、ＣｌＦ３、ＩＦ５、ＢｒＦ５、ＢｒＦ３、ＣＦ３Ｉ、Ｃ２Ｆ５Ｉ、Ｎ２Ｆ４、ＮＦ３、ＮＯＦ３、ＳｉＦ４、ＳｉＦ４、Ｓｉ２Ｆ６、ＸｅＦ２、ＸｅＦ４、ＫｒＦ２、ＳＦ４、ＳＦ６、モノフルオロベンゼン、１，２−ジフルオロベンゼン、１，２，４−トリフルオロベンゼン、ペンタフルオロベンゼン、ペンタフルオロピリジン、及びペンタフルオロトルエンから選択される１種以上のフッ素化化合物から誘導される、請求項２に記載の複合膜。
【請求項４】
プラズマ蒸着されたフッ素系フィルムを含み、前記プラズマ蒸着されたフッ素系フィルムが、１種以上のフッ素化化合物と組み合わせた１種以上の炭化水素化合物から誘導され、前記１種以上の炭化水素化合物が、アセチレン、メタン、ブタジエン、ベンゼン、メチルシクロペンタジエン、ペンタジエン、スチレン、ナフタレン、及びアズレンから選択される、請求項１に記載の複合膜。
【請求項５】
非晶質フッ素系フィルムを含み、前記非晶質フッ素系フィルムが、少なくとも１００℃のＴｇを有する非晶質ガラス状パーフルオロポリマーを含む、請求項１に記載の複合膜。
【請求項６】
前記非晶質ガラス状パーフルオロポリマーが、パーフルオロ−２，２−ジメチル−１，３−ジオキソール（ＰＤＤ）とＴＦＥとのコポリマー、２，２，４−トリフルオロ−５−トリフルオロメトキシ−１，３−ジオキソール（ＴＴＤ）とＴＦＥとのコポリマー、又はＴＦＥと環状パーフルオロ−ブテニルビニルエーテルとのコポリマーを含む、請求項５に記載の複合膜。
【請求項７】
１種以上の液体イオン性化合物を更に含み、
前記１種以上の液体イオン性化合物が、１種以上の陽イオンまたは陰イオンを含み、
前記陽イオンは、イミダゾリウム、ピラゾリウム、オキサゾリウム、チアゾリウム、トリアゾリウム、ピリジニウム、ピリダジニウム、ピリミジニウム、及びピラジニウムから選択され、
前記陰イオンは、Ｃｌ−、Ｂｒ−、Ｉ−、ＨＳＯ４−、ＮＯ３−、ＳＯ４２−、ＣＨ３ＳＯ３−、Ｎ（ＳＯ２ＣＦ３）２−、ＣＦ３ＳＯ３−、Ｂ（ＣＮ）４−、Ｃ４Ｆ９ＳＯ３−、ＰＦ６−、Ｎ（ＣＮ）４−、Ｃ（ＣＮ）４−、ＢＦ４−、Ａｃ−、ＳＣＮ−、ＨＳＯ４−、ＣＨ３ＳＯ４−、Ｃ２Ｈ５ＳＯ４−、及びＣ４Ｈ９ＳＯ４−から選択される、請求項１に記載の複合膜。
【請求項８】
１種以上の液体イオン性化合物を更に含み、前記１種以上の液体イオン性化合物が、１−エチル−３−メチルイミダゾリウムテトラフルオロボレート（Ｅｍｉｍ−ＢＦ４）、１−エチル−３−メチルイミダゾリウムトリフルオロメタンスルホネート（Ｅｍｉｍ−ＴＦＳＡ）、３−メチル−Ｎ−ブチル−ピリジニウムテトラフルオロボレート、３−メチル−Ｎ−ブチル−ピリジニウムトリフルオロメタンスルホネート、Ｎ−ブチル−ピリジニウムテトラフルオロボレート、１−ブチル−２，３−ジメチルイミダゾリウムテトラフルオロボレート、１−ブチル−２，３−ジメチルイミダゾリウムトリフルオロメタンスルホネート、１−エチル−３−メチルイミダゾリウムクロリド、１−ブチル−３−エチルイミダゾリウムクロリド、１−ブチル−３−メチルイミダゾリウムクロリド、１−ブチル−３−メチルイミダゾリウムブロミド、１−メチル−３−プロピルイミダゾリウムクロリド、１−メチル−３−ヘキシルイミダゾリウムクロリド、１−メチル−３−オクチルイミダゾリウムクロリド、１−メチル−３−デシルイミダゾリウムクロリド、１−メチル−３−ドデシルイミダゾリウムクロリド、１−メチル−３−ヘキサデシルイミダゾリウムクロリド、１−メチル−３−オクタデシルイミダゾリウムクロリド、１−エチルピリジニウムブロミド、１−エチルピリジニウムクロリド、１−ブチルピリジニウムクロリド、及び１−ベンジルピリジニウムブロミド、１−ブチル−３−メチルイミダゾリウムアイオダイド、１−ブチル−３−メチルイミダゾリウムナイトレート、１−エチル−３−メチルイミダゾリウムブロミド、１−エチル−３−メチルイミダゾリウムアイオダイド、１−エチル−３−メチルイミダゾリウムナイトレート、１−ブチルピリジニウムブロミド、１−ブチルピリジニウムアイオダイド、１−ブチルピリジニウムナイトレート、１−ブチル−３−メチルイミダゾリウムヘキサフルオロホスフェート、１−オクチル−３−メチルイミダゾリウムヘキサフルオロホスフェート、１−オクチル−３−メチルイミダゾリウムテトラフルオロボレート、１−エチル−３−メチルイミダゾリウムエチルサルフェート、１−ブチル−３−メチルイミダゾリウムアセテート、１−ブチル−３−メチルイミダゾリウムトリフルオロアセテート、及び１−ブチル−３−メチルイミダゾリウムビス（トリフルオロメチルスルホニル）イミド（Ｂｍｉｍ−Ｔｆ２Ｎ）から選択される、請求項１に記載の複合膜。
【請求項９】
アルコールとガソリンとの混合物からアルコールを分離するためのカートリッジであって、請求項１〜８のいずれか一項に記載の複合膜を含む、カートリッジ。
【請求項１０】
第１の液体を、前記第１の液体と第２の液体との混合物から分離する方法であって、前記混合物を、請求項１〜８のいずれか一項に記載の複合膜に接触させることを含む、方法。
【手続補正書】
【提出日】令和1年7月4日(2019.7.4)
【手続補正１】
【補正対象書類名】特許請求の範囲
【補正対象項目名】全文
【補正方法】変更
【補正の内容】
【特許請求の範囲】
【請求項１】
スプレーガンカップ容器であって、
空洞内にライナを受容するための開口端と、
前記開口端の反対側の基端部であって、前記基端部を通過している基準平面が作業面Ｗと平行となるように、前記開口端が上に面している状態で前記作業面に対して配置可能である、基端部と、
前記空洞を取り囲みかつ前記開口端を前記基端部に接続している側壁であって、前記スプレーガンカップ容器の外側から前記空洞を見ることのできる２つの開口を備える、側壁と、を備え、前記２つの開口はブレース部材によって上下に分割されており、前記ブレース部材の少なくとも一部は前記基準平面に対してブレース部材角度αで配設されている、スプレーガンカップ容器。
【請求項２】
請求項１に記載のスプレーガンカップ容器と、
前記空洞内に配置されたライナ２００であって、前記スプレーガンカップ容器の前記開口端に対応する開口端を備える、ライナ２００と、を備える、スプレーガンカップ。
【請求項３】
請求項１に記載のスプレーガンカップ容器を作業面上に配置することと、
ライナを前記スプレーガンカップ容器の前記開口端内に挿入することと、
前記ライナに液体を加えることと、
前記スプレーガンカップ容器の前記側壁の開口を通して前記液体のレベルを見ることと、を含む、スプレーガンカップを使用する方法。
【手続補正書】
【提出日】令和1年7月4日(2019.7.4)
【手続補正１】
【補正対象書類名】明細書
【補正対象項目名】００３８
【補正方法】変更
【補正の内容】
【００３８】
ある特定の実施形態において、原薬の音響混合は、体積平均粒径ＤＶ１０を少なくとも１０μｍ増加させる。
【手続補正２】
【補正対象書類名】明細書
【補正対象項目名】００３９
【補正方法】変更
【補正の内容】
【００３９】
ある特定の実施形態において、原薬の音響混合は、体積平均粒径ＤＶ１０を少なくとも２５μｍ増加させる。
【手続補正３】
【補正対象書類名】明細書
【補正対象項目名】００４０
【補正方法】変更
【補正の内容】
【００４０】
ある特定の実施形態において、原薬の音響混合は、体積平均粒径ＤＶ１０を少なくとも５０μｍ増加させる。
【手続補正４】
【補正対象書類名】明細書
【補正対象項目名】００４１
【補正方法】変更
【補正の内容】
【００４１】
ある特定の実施形態において、原薬の音響混合は、体積平均粒径ＤＶ１０を少なくとも１００μｍ増加させる。
【手続補正５】
【補正対象書類名】明細書
【補正対象項目名】００４２
【補正方法】変更
【補正の内容】
【００４２】
ある特定の実施形態において、原薬の音響混合は、体積平均粒径ＤＶ１０を少なくとも１５０μｍ増加させる。
【手続補正６】
【補正対象書類名】明細書
【補正対象項目名】００４３
【補正方法】変更
【補正の内容】
【００４３】
ある特定の実施形態において、原薬の音響混合は、体積平均粒径ＤＶ１０を少なくとも２００μｍ増加させる。
【手続補正７】
【補正対象書類名】特許請求の範囲
【補正対象項目名】全文
【補正方法】変更
【補正の内容】
【特許請求の範囲】
【請求項１】
バルク原薬を音響的に混合する方法であって、前記音響混合が、音響エネルギーを印加して、原薬を収容している混合容器に加速力を加えることを含む、方法。
【請求項２】
音響混合が、１０Ｇの力を超える加速力を混合容器に印加することを含む、請求項１に記載の方法。
【請求項３】
加速力が２０Ｇを超える、請求項２に記載の方法。
【請求項４】
加速力が４０Ｇを超える、請求項３に記載の方法。
【請求項５】
加速力が６０Ｇを超える、請求項４に記載の方法。
【請求項６】
加速力が８０Ｇを超える、請求項５に記載の方法。
【請求項７】
原薬が非晶質固体を含む、請求項１に記載の方法。
【請求項８】
原薬が５未満の流動性定数を有する、請求項１に記載の方法。
【請求項９】
原薬が２未満の流動性定数を有する、請求項１に記載の方法。
【請求項１０】
原薬が、音響混合前に２未満の流動性定数を有し、且つ混合後に２を超える流動性定数を有する、請求項１に記載の方法。
【請求項１１】
原薬が、音響混合前に１未満の流動性定数を有し、且つ混合後に１を超える流動性定数を有する、請求項１に記載の方法。
【請求項１２】
流動性定数が少なくとも０．１増加する、請求項１に記載の方法。
【請求項１３】
流動性定数が少なくとも０．２増加する、請求項１に記載の方法。
【請求項１４】
流動性定数が少なくとも０．３増加する、請求項１に記載の方法。
【請求項１５】
流動性定数が少なくとも０．４増加する、請求項１に記載の方法。
【請求項１６】
流動性定数が少なくとも０．５増加する、請求項１に記載の方法。
【請求項１７】
原薬が、音響混合前に０．４ｇ／ｍｌ未満のバルク密度を有する、請求項１に記載の方法。
【請求項１８】
原薬が、音響混合前に１００μｍ未満の体積平均粒径ＤＶ１０を有する、請求項１に記載の方法。
【請求項１９】
原薬の音響混合が、体積平均粒径ＤＶ１０を少なくとも１０μｍ増加させる、請求項１に記載の方法。
【請求項２０】
原薬がエラゴリクスである、請求項１に記載の方法。
【手続補正書】
【提出日】平成31年2月6日(2019.2.6)
【手続補正１】
【補正対象書類名】特許請求の範囲
【補正対象項目名】全文
【補正方法】変更
【補正の内容】
【特許請求の範囲】
【請求項１】
ボディ部分と；
前記ボディ部分から延びるブラシヘッド部材であって、ヘッドが毛面を有し、前記毛面は前記ボディ部分に対して動くように構成される、ブラシヘッド部材と；
マスタクロックと；
前記マスタクロックと通信するセンサであって、前記センサはセンササンプリング周波数でセンサデータをサンプリングするように構成され、前記サンプリング周波数は前記マスタクロックからの入力に基づく、センサと；
第２のクロックと；
前記第２のクロックと通信するドライブトレーンであって、前記ドライブトレーンは第１のドライブトレーン周波数で前記毛面の動きを発生させるように構成され、前記第１のドライブトレーン周波数は前記第２のクロックからの入力に基づく、ドライブトレーンと；
を有し、
前記サンプリング周波数及び前記第１のドライブトレーン周波数は、前記センサのドライブトレーン干渉を最小にするように協調される、
口腔クリーニング装置。
【請求項２】
１又は複数の前記センサから得られるセンサ情報を処理するように構成されるコントローラをさらに有する、
請求項１に記載の口腔クリーニング装置。
【請求項３】
前記コントローラは前記マスタクロックを有する、
請求項２に記載の口腔クリーニング装置。
【請求項４】
前記マスタクロックは、前記コントローラから分離している、
請求項２に記載の口腔クリーニング装置。
【請求項５】
前記センササンプリング周波数は、（ｎ＋ｊ／ｋ）を乗じた前記第１のドライブトレーン周波数と等しく、ｎは整数、ｊは正の整数、ｋは正の整数であり、さらに０＜ｊ＜ｋである、
請求項１に記載の口腔クリーニング装置。
【請求項６】
ｋは、前記センサの信号の帯域幅が、ｋで除した前記第１のドライブトレーン周波数未満であるように選ばれる、
請求項５に記載の口腔クリーニング装置。
【請求項７】
前記第１のドライブトレーン周波数はユーザによって調整可能である、
請求項１に記載の口腔クリーニング装置。
【請求項８】
前記マスタクロック及び前記第２のクロックと通信するコントローラであって、前記コントローラは、前記サンプリング周波数及び前記第１のドライブトレーン周波数を協調させ且つ前記センサのドライブトレーン干渉を最小にするよう、前記マスタクロック及び前記第２のクロックから入力を受信するように構成される、コントローラと、
をさらに有する、
請求項１に記載の口腔クリーニング装置。
【請求項９】
口腔クリーニング装置のセンサの干渉を最小にする方法であって、前記方法は：
口腔クリーニング装置を提供するステップであって、前記口腔クリーニング装置は、マスタクロック；前記マスタクロックと通信するセンサであって、前記センサはセンササンプリング周波数でセンサデータをサンプリングするように構成され、前記サンプリング周波数は前記マスタクロックからの入力に基づく、センサ；第２のクロック；及び前記第２のクロックと通信するドライブトレーンであって、前記ドライブトレーンは第１のドライブトレーン周波数で前記装置の毛面の動きを発生させるように構成され、前記第１のドライブトレーン周波数は前記第２のクロックからの入力に基づく、ドライブトレーン；を有する、ステップと；
前記センサのドライブトレーン干渉を最小にするように前記サンプリング周波数及び前記第１のドライブトレーン周波数を調整するステップと；
前記センサからセンサデータを得るステップと；
を含む、方法。
【請求項１０】
前記センササンプリング周波数は、（ｎ＋ｊ／ｋ）を乗じた前記第１のドライブトレーン周波数と等しく、ｎは整数、ｊは正の整数、ｋは正の整数であり、さらに０＜ｊ＜ｋである、
請求項９に記載の方法。
【請求項１１】
ｋは、前記センサの信号の帯域幅が、ｋで除した前記第１のドライブトレーン周波数未満であるように選ばれる、
請求項１０に記載の方法。
【請求項１２】
前記第１のドライブトレーン周波数の調整に応じて前記センササンプリング周波数を調整するステップをさらに含む、
請求項９に記載の方法。
【手続補正書】
【提出日】令和1年6月13日(2019.6.13)
【手続補正１】
【補正対象書類名】特許請求の範囲
【補正対象項目名】全文
【補正方法】変更
【補正の内容】
【特許請求の範囲】
【請求項１】
呼気ポートであって、
細長い本体であって、中空であるとともに、ガスの流れを運ぶための管腔を画定する前記細長い本体と、
中央部分と、
前記細長い本体の一部分に配設された複数の孔であって、前記細長い本体を通してガスを排気するように構成された複数の孔と、
前記細長い本体から延びるシュラウドであって、複数の前記孔の１つまたは複数を取り囲み、壁を有するシュラウドと、を備え、
交互に位置する複数の凹条および凸条が前記シュラウドの前記壁に設けられ、前記複数の凹条および凸条は、前記シュラウドの外面から始まり、前記中央部分に向かって延び、
前記呼気ポートが、患者にガスを送達するための回路と取り外し可能に直列に接続するように配設される、非侵襲的換気療法用の呼気ポート。
【請求項２】
前記壁は、４つの前記凸条と交互に位置する４つの凹条を有する、請求項１に記載の呼気ポート。
【請求項３】
前記凹条が前記シュラウドの周囲に実質的に等間隔に配置される、請求項２に記載の呼気ポート。
【請求項４】
前記凹条および前記凸条は、前記呼気ポートの前記中央部分に達する、請求項１から３のいずれか一項に記載の呼気ポート。
【請求項５】
前記凹条および前記凸条は、前記シュラウドの前記外面と前記呼気ポートの前記中央部分との間で終端する、請求項１から３のいずれか一項に記載の呼気ポート。
【請求項６】
前記シュラウドが、前記細長い本体から外方に延びる、請求項１から５のいずれか一項に記載の呼気ポート。
【請求項７】
前記シュラウドが、略環状形態で前記細長い本体から外方に延びる、請求項６に記載の呼気ポート。
【請求項８】
前記シュラウドが外側面を有し、かつ前記外側面が、フィルタと接続するように構成された２２ｍｍまたは１５ｍｍｎテーパを有する、請求項１から７のいずれか一項に記載の呼気ポート。
【請求項９】
前記シュラウドが外側面を有し、複数の切り欠きが前記外側面の周りに間隔を空けて配置される、請求項１から８のいずれか一項に記載の呼気ポート。
【請求項１０】
前記複数の切り欠きのそれぞれが、前記シュラウドの前記外側面の周りに等間隔で配置される、請求項９に記載の呼気ポート。
【請求項１１】
前記複数の切り欠きの各々が切り欠き寸法と間隔寸法とを備え、前記切り欠き寸法は前記間隔寸法と実質的に等しいか又は前記間隔寸法よりも実質的に大きい、請求項１０に記載の呼気ポート。
【請求項１２】
前記切り欠きの中心線と前記凹条の中心線とが一致し、前記切り欠きが前記凹条と整列する、請求項１０に記載の呼気ポート。
【請求項１３】
前記切り欠きの間の間隔の中心線と前記凸条の中心線とが一致し、前記切り欠きが前記凸条と整列する、請求項１０に記載の呼気ポート。
【請求項１４】
前記細長い本体が第１の端部を更に備え、前記細長い本体の前記第１の端部が、２２ｍｍの雄テーパと、前記２２ｍｍのテーパ内に入れ子にされた１５ｍｍの雌テーパとを備える、請求項１から１３のいずれか一項に記載の呼気ポート。
【請求項１５】
前記細長い本体から外方に延びる圧力ポートを更に備え、前記圧力ポートが、非侵襲的人工呼吸器に接続する圧力サンプリングラインと結合するように構成される、請求項１から１３のいずれか一項に記載の呼気ポート。
【請求項１６】
請求項１から１５のいずれか一項に記載の呼気ポートと、前記呼気ポートと接続自在に構成されたフィルタと、を備える換気システム。
【請求項１７】
前記フィルタは、前記呼気ポートに接続されるように構成された雌型接続部を備え、前記雌型接続部と前記呼気ポートの外側面との結合は気密でないない、請求項１６に記載の換気システム。
【請求項１８】
前記フィルタは、前記呼気ポートに接続されるように構成された雌型接続部を備え、前記フィルタの前記雌型接続部の内壁は、前記呼気ポートの前記凸条の外壁に接触し、その結果、前記フィルタの前記雌型接続部の前記内壁と前記凹条の外壁との間に、漏れ経路が形成される、請求項１６に記載の換気システム。
【手続補正書】
【提出日】平成30年11月29日(2018.11.29)
【手続補正１】
【補正対象書類名】明細書
【補正対象項目名】００８０
【補正方法】変更
【補正の内容】
【００８０】
一例として、図４Ａから図４Ｄは、一連の歯４００の移動の追跡及び予測をどのように行うことができるかを示している。一連の歯４００は、第１の歯、第２の歯、及び第３の歯を含んでよい。図４Ａは、最初の時点における第１の歯４０１ａ、第２の歯４０２ａ、及び第３の歯４０３ａを示す。図４Ｂは、次の時点における第１の歯４０１ｂ、第２の歯４０２ｂ、及び第３の歯４０３ｂを示す。図４Ｂに示されるように、一連の歯４００は、それらの最初の時点における位置から移動している。
【手続補正２】
【補正対象書類名】明細書
【補正対象項目名】００８１
【補正方法】変更
【補正の内容】
【００８１】
図４Ｃに示されるように、一連の歯４００の、最初の時点及び次の時点における位置を比較することが可能である。例えば、歯４００の３次元モデル同士を重ね合わせて比較することが可能である。最初の時点と次の時点との間の各歯の移動ベクトルを算出することが可能である。移動は、第１の歯の、最初の時点（歯４０１ａ）から次の時点（歯４０１ｂ）への間の平行移動であってよく、対応する移動ベクトル４１１が算出されてよい。移動は、第２の歯の、最初の時点（歯４０２ａ）から次の時点（歯４０２ｂ）への挺出であってよく、対応する移動ベクトル４１２が算出されてよい。移動は、第３の歯の、最初の時点（歯４０３ａ）から次の時点（歯４０３ｂ）への傾斜であってよく、対応する移動ベクトル４１３が算出されてよい。
【手続補正３】
【補正対象書類名】明細書
【補正対象項目名】０１０２
【補正方法】変更
【補正の内容】
【０１０２】
図９は、患者の今後の症状を推定する為に患者の口腔内の予測デジタル表現を生成する方法９００を示す。方法９００は、本明細書において提供される他の全ての方法と同様に、本開示のシステム及び装置の任意の実施形態との組み合わせで用いられてよい。例えば、方法９００の幾つか又は全てのステップが、本明細書において詳述されるコンピュータシステムの１つ以上のプロセッサによって実施されてよい。
【手続補正４】
【補正対象書類名】明細書
【補正対象項目名】０１５９
【補正方法】変更
【補正の内容】
【０１５９】
実施形態によっては、ユーザインタフェース１１００は、識別された歯又は歯列矯正の症状に対して可能性のある処置選択肢（本明細書では処置ソリューションとも呼ばれる）のリスト１１１０を表示してよい。リスト１１１０は、各ソリューションがどの症状に対して処置を行うかを示してよい。任意選択で、リストされた処置ソリューションはハイパーリンクとして表示されてよく、ユーザは、このハイパーリンクをクリック又は選択することにより、各ソリューションについての追加情報を表示することが可能であり、例えば、説明、処置製品又は処置方法のイメージ、予想される費用、予想される処置期間、保険及び払戻金の情報、処置提供者リスト、処置提供者のウェブページ、注文情報などを表示することが可能である。代替又は組み合わせとして、ユーザが「費用」ボタン１１１２を選択すると、個々のソリューションの予想される費用が表示される。実施形態によっては、処置ソリューションが選択されると、ユーザインタフェース１１００は、予測される処置結果を表示する。これについては本明細書において詳述する。任意選択で、ユーザインタフェース１１００は、１つ以上の予約のタイミングを提案する表示を生成してよく、それらは、例えば、検出された症状の推移の観察、及び／又は選択された処置ソリューションの投与の予約である。
【手続補正書】
【提出日】令和1年6月28日(2019.6.28)
【手続補正１】
【補正対象書類名】特許請求の範囲
【補正対象項目名】全文
【補正方法】変更
【補正の内容】
【特許請求の範囲】
【請求項１】
第１の液体を、前記第１の液体及び第２の液体を含む供給混合物から選択的に浸透気化させる方法であって、前記供給混合物を、ポリマーアイオノマーを含む分離膜に接触させることを含み、前記ポリマーアイオノマーは、高フッ素化主鎖と、以下の式（式Ｉ）：
−Ｏ−Ｒｆ−［−ＳＯ２−Ｎ−（Ｚ＋）−ＳＯ２−Ｒ−］ｍ−［ＳＯ２］ｎ−Ｑ
［式中、
Ｒｆは、全フッ素化有機連結基であり、
Ｒは、有機連結基であり、
Ｚ＋は、Ｈ＋、１価の陽イオン、又は多価の陽イオンであり、
Ｑは、Ｈ、Ｆ、−ＮＨ２、−Ｏ−Ｙ＋、又は−ＣｘＦ２ｘ＋１であり、
Ｙ＋は、Ｈ＋、１価の陽イオン、又は多価の陽イオンであり、
ｘ＝１〜４であり、
ｍ＝０〜６であり、かつ
ｎ＝０又は１であり、
ただし、ｍ又はｎのうちの少なくとも１つは、零以外でなくてはならない］による繰り返しペンダント基と、を有し、
前記ポリマーアイオノマーは、前記第２の液体よりも前記第１の液体に対する透過性がより高く、
ただし、ｍ＝０であり、かつＱが−Ｏ−Ｙ＋である場合、前記第１の液体はアルコールであり、かつ前記第２の液体はガソリンである、方法。
【請求項２】
第１の流体を、前記第１の液体及び第２の液体を含む供給混合物から選択的に分離するための浸透気化膜を含むカートリッジであって、前記分離膜はポリマーアイオノマーを含み、前記ポリマーアイオノマーは、高フッ素化主鎖と、以下の式（式Ｉ）：
−Ｏ−Ｒｆ−［−ＳＯ２−Ｎ−（Ｚ＋）−ＳＯ２−Ｒ−］ｍ−［ＳＯ２］ｎ−Ｑ
［式中、
Ｒｆは、全フッ素化有機連結基であり、
Ｒは、有機連結基であり、
Ｚ＋は、Ｈ＋、１価の陽イオン、又は多価の陽イオンであり、
Ｑは、Ｈ、Ｆ、−ＮＨ２、−Ｏ−Ｙ＋、又は−ＣｘＦ２ｘ＋１であり、
Ｙ＋は、Ｈ＋、１価の陽イオン、又は多価の陽イオンであり、
ｘ＝１〜４であり、
ｍ＝０〜６であり、かつ
ｎ＝０又は１であり、
ただし、ｍ又はｎのうちの少なくとも１つは、零以外でなくてはならない］による繰り返しペンダント基と、を有し、
前記ポリマーアイオノマーは、前記第２の液体よりも前記第１の液体に対する透過性がより高く、
ただし、ｍ＝０であり、かつＱが−Ｏ−Ｙ＋である場合、前記第１の液体はアルコールであり、かつ前記第２の液体はガソリンである、カートリッジ。
【請求項３】
第１の液体を、第１の液体及び第２の液体を含む供給混合物から選択的に浸透気化させるための分離膜であって、
互いに反対側を向いた第１主面及び第２主面、並びに複数の細孔を含む多孔質基材と、
前記多孔質基材中及び／又は前記多孔質基材上に厚さを有する層を形成する、ポリマーアイオノマーと、を含み、
前記ポリマーアイオノマーは、高フッ素化主鎖と、以下の式（式Ｉ）：
−Ｏ−Ｒｆ−［−ＳＯ２−Ｎ−（Ｚ＋）−ＳＯ２−Ｒ−］ｍ−［ＳＯ２］ｎ−Ｑ
［式中、
Ｒｆは、全フッ素化有機連結基であり、
Ｒは、有機連結基であり、
Ｚ＋は、Ｈ＋、１価の陽イオン、又は多価の陽イオンであり、
Ｑは、Ｈ、Ｆ、−ＮＨ２、−Ｏ−Ｙ＋、又は−ＣｘＦ２ｘ＋１であり、
Ｙ＋は、Ｈ＋、１価の陽イオン、又は多価の陽イオンであり、
ｘ＝１〜４であり、
ｍ＝０〜６であり、かつ
ｎ＝０又は１であり、
ただし、ｍ又はｎのうちの少なくとも１つは、零以外でなくてはならない］による繰り返しペンダント基と、を有し、
前記ポリマーアイオノマーは、前記第２の液体よりも前記第１の液体に対する透過性がより高く、
ただし、ｍ＝０であり、かつＱが−Ｏ−Ｙ＋である場合、前記第１の液体はアルコールであり、かつ前記第２の液体はガソリンである、分離膜。
【請求項４】
（メタ）アクリル含有ポリマーを更に含む、請求項１〜３のいずれか一項に記載の方法、カートリッジ、又は膜。
【請求項５】
前記（メタ）アクリル含有ポリマーが、前記ポリマーアイオノマーと混合されている、請求項４に記載の方法、カートリッジ、又は膜。
【請求項６】
前記（メタ）アクリル含有ポリマーとポリマーアイオノマーとが別々の層中にある、請求項５に記載の方法、カートリッジ、又は膜。
【請求項７】
エポキシポリマーを更に含む、請求項１〜６のいずれか一項に記載の方法、カートリッジ、又は膜。
【請求項８】
前記エポキシポリマーが、前記ポリマーアイオノマーと混合されている、又は、前記エポキシポリマーとポリマーアイオノマーとが別々の層中にある、請求項７に記載の方法、カートリッジ、又は膜。
【請求項９】
（ａ）前記ポリマーアイオノマーと混合されたイオン性液体、又は
（ｂ）分離膜上に配置された非晶質フッ素系フィルム
のうちの少なくとも１つを更に含む、請求項１〜８のいずれか一項に記載の方法、カートリッジ、又は膜。
【請求項１０】
前記非晶質フッ素系フィルムが、少なくとも１００℃のＴｇを有する非晶質ガラス状パーフルオロポリマーを含む、プラズマ蒸着されたフッ素系フィルムである、請求項９に記載の方法、カートリッジ、又は膜。
【手続補正書】
【提出日】平成31年3月6日(2019.3.6)
【手続補正１】
【補正対象書類名】明細書
【補正対象項目名】００２０
【補正方法】変更
【補正の内容】
【００２０】
本発明による触媒は、γ−バレロラクトン、４−ヒドロキシ吉草酸、２−ペンテン酸、３−ペンテン酸および４−ペンテン酸の水または任意の他の極性プロトン性溶媒中の高溶解性に起因して調製するのがさらに容易である。さらに、本発明による触媒は、受け入れ可能なコスト費用に維持しながら、バイオマスを起源とする原材料、好ましくは、γ−バレロラクトンを主として含有するものから調製されてよい（J-C. Serrano-Ruiz in Green Chem., 2010, 12, 574-577, またはW.R.H. Wright and R. Palkovits in ChemSusChem 2012, 5, 9, 1657-1667）。
【手続補正２】
【補正対象書類名】明細書
【補正対象項目名】００６５
【補正方法】変更
【補正の内容】
【００６５】
所定の特定の場合において、担体は、第ＶＩＢ族および第ＶＩＩＩ族の金属（１種または複数種）の少なくとも一部、および／またはリンを含むドーパント（１種または複数種）の少なくとも一部および／または酸素（γ−バレロラクトン、２−ヒドロキシ吉草酸、２−ペンテン酸、３−ペンテン酸または４ペンテン酸から選択される少なくとも１種の添加物または酸素を含有する別の添加物）および／または窒素および／または硫黄を含有する有機化合物（１種または複数種）の少なくとも一部であって、含浸の操作の外側で導入された（例えば、担体の調製の間に導入された）ものを含有してよい。
【手続補正３】
【補正対象書類名】明細書
【補正対象項目名】０１８２
【補正方法】変更
【補正の内容】
【０１８２】
ガソリンの水素化処理のための方法は、固定床タイプのまたは沸騰床タイプの１基以上の直列の反応器において行われてよい。少なくとも２基の直列の反応器によって方法が行われるならば、第１の水素化脱硫は反応器を起源とする流出物からＨ２Ｓを除去した後に前記流出物を第２の水素化脱硫反応器において処理するデバイスを提供することが可能である。
【手続補正４】
【補正対象書類名】明細書
【補正対象項目名】０１８９
【補正方法】変更
【補正の内容】
【０１８９】
（実施例４：アルミナ上ＣｏＭｏＰ触媒Ｃ８（本発明に合致しない）およびＣ９（本発明に合致する）の共含浸（低い有機化合物／Ｍｏの比）による調製）
コバルト、モリブデンおよびリンが、触媒Ｃ３の調製の場合と同様に上記の実施例１において記載された、「押出物」の形態にあるアルミナ担体に加えられる。しかしながら、含浸溶液の調製の間、クエン酸／モリブデンのモル比は、この場合において、０．２５ｍｏｌ／ｍｏｌ、または、コバルトのモル当たりクエン酸０．７０モルに等しい。乾式含浸の後、押出物は、水飽和雰囲気中１２時間にわたって周囲温度で放置されて成熟させられ、次いで、それらは、１２０℃で１６時間にわたって乾燥させられる。こうして得られた乾燥済み触媒前駆体は、Ｃ８で表記される。触媒Ｃ８の最終組成は、酸化物の形態で表されかつ乾燥触媒の質量に対して言及されて、以下の通りである：ＭｏＯ３＝２２．５±０．２重量％、ＣｏＯ＝４．０±０．１重量％およびＰ２Ｏ５＝３．９±０．１重量％。
【手続補正書】
【提出日】平成31年3月6日(2019.3.6)
【手続補正１】
【補正対象書類名】明細書
【補正対象項目名】００２８
【補正方法】変更
【補正の内容】
【００２８】
別の変形例によると、工程ａ）は、以下の工程：
ａ１）  アルミナまたはシリカまたはシリカ−アルミナをベースとする担体に、第ＶＩＢ族の少なくとも１種の元素と、第ＶＩＩＩ族の少なくとも１種の元素と、場合によるリンとを含有する少なくとも１種の溶液を含浸させて、含浸済み担体を得る工程、
ａ２）  工程ａ１）において得られた含浸済み担体を、２００℃未満の温度で乾燥させて、乾燥させられた含浸済み担体を得るようにし、場合によっては、乾燥させられた含浸済み担体を焼成して、焼成された含浸済み担体を得るようにする工程、
ａ３）  工程ａ２）において得られた乾燥させられ、場合によっては焼成された含浸済み担体に、少なくともγ−ケト吉草酸を含む含浸溶液を含浸させて、触媒前駆体を得る工程、
ａ４）  場合による、工程ａ３）において得られた触媒前駆体を放置して成熟させる工程
を含む。
【手続補正２】
【補正対象書類名】明細書
【補正対象項目名】０１３９
【補正方法】変更
【補正の内容】
【０１３９】
別の代替実施形態によると、工程ａ）による接触処理は、少なくとも２つの接触方法、例えば、有機化合物の共含浸と、共含浸のために用いられたものと同一であっても異なっていてもよい有機化合物の後含浸とを組み合わせるが、これは、有機化合物の少なくとも一方は、γ−ケト吉草酸であることが前提である。
【手続補正３】
【補正対象書類名】明細書
【補正対象項目名】０１８０
【補正方法】変更
【補正の内容】
【０１８０】
（実施例３：アルミナ上ＣｏＭｏＰ触媒Ｃ６（本発明に合致する）の前含浸による調製）
γ−ケト吉草酸２４．７ｇが、担体の細孔容積に等しい全容積を有する溶液を得るように水に希釈され、上記の実施例１に記載された、「押出物」の形態にあるアルミナ担体に加えられる。こうして形成された溶液は、次いで、担体上に乾式含浸させられた後、３時間の成熟時間が水飽和雰囲気中周囲温度で観察され、次いで、１２０℃で２時間にわたって乾燥処理がなされる。改変された担体は、次いで、８５％リン酸水溶液７．５７ｇ中の酸化モリブデン（２７．００ｇ）および水酸化コバルト（６．３６ｇ）の高温溶解によって調製された新鮮な含浸溶液を含浸させられる。水を加えることによってこの最後に言及された溶液の容積は、従前に改変された担体の細孔容積に調節するよう注意がなされる。乾式含浸の後、押出物は、水飽和雰囲気中３時間にわたって周囲温度で放置されて成熟させられ、次いで、１２０℃で１６時間にわたって乾燥させられ、結果、触媒Ｃ６が得られた。触媒Ｃ６の最終組成は、酸化物の形態で表わされかつ乾燥触媒の質量に対して言及されて、以下の通りである：ＭｏＯ３＝２２．５±０．２重量％、ＣｏＯ＝４．１±０．１重量％およびＰ２Ｏ５＝４．０±０．１重量％。使用される量は、γ−ケト吉草酸の量が、モリブデンのモル当たり１モル、コバルトのモル当たり２．８モルになるようにされる。
【手続補正書】
【提出日】令和1年5月14日(2019.5.14)
【手続補正１】
【補正対象書類名】特許請求の範囲
【補正対象項目名】全文
【補正方法】変更
【補正の内容】
【特許請求の範囲】
【請求項１】
被処置者の皮膚からタトゥーを除去する方法であって、
（ｉ）前記被処置者のタトゥーが入った真皮に低温プラズマを適用することにより、タトゥーインク粒子を脱落させて分解するステップと、
（ｉｉ）前記脱落して分解されたインク粒子およびその副生成物を流動させるステップと、
（ｉｉｉ）前記脱落して分解されたインク粒子およびその副生成物を前記被処置者の真皮から抽出するステップと、を有し、前記タトゥーの少なくとも一部を、検出不能、不可視、および／または、識別不能にする、タトゥー除去方法。
【請求項２】
前記タトゥーインク粒子の有機成分および／または無機成分を、該タトゥーインク粒子が、酸化、還元、断片化、電子分解、イオン分解、または、それらの組合せされるのに有効量の低温プラズマを適用することにより分解するか、または
前記タトゥーインク粒子を前記被処置者の真皮内にトラップしている、局所皮膚細胞および組織構造を破壊するのに有効量の低温プラズマを適用することにより、前記トラップされたインク粒子を脱落させるか、または
前記低温プラズマが、前記被処置者の真皮または周辺組織に重大な熱的損傷または他の損傷を引き起こすことなく、前記トラップされたタトゥーインク粒子を脱落させて分解する、請求項１に記載のタトゥー除去方法。
【請求項３】
前記ステップ（ｉｉ）が、前記脱落して分解されたインク粒子およびその副生成物の前記抽出を促進する流動化液の送達を含み、および
前記流動化液が、滅菌水、生理食塩水、または、緩衝水溶液であり、および任意選択で
前記流動化液が、前記分解されたインク粒子、および／または、その副生成物の流動性および除去効率を向上させる１種以上の界面活性剤をさらに含み、およびさらに任意選択で
前記流動化液が、局所麻酔薬、抗感染薬、防腐剤、抗炎症薬、または、それらの組合せをさらに含む、請求項１に記載のタトゥー除去方法。
【請求項４】
前記ステップ（ｉｉｉ）が、前記脱落して分解されたインク粒子およびその副生成物を含む天然の体液を、前記被処置者の真皮および周囲組織から吸引することによって、前記脱落して分解されたインク粒子を抽出することを含み、または
前記ステップ（ｉｉｉ）が、前記脱落して分解されたインク粒子およびその副生成物を含む流動化液を、前記被処置者の真皮および周辺組織から吸引することによって、前記脱落して分解されたインク粒子を抽出することを含む、請求項１に記載のタトゥー除去方法。
【請求項５】
前記方法のステップを、少なくとも１サイクルから１００サイクル繰り返す、請求項１に記載のタトゥー除去方法。
【請求項６】
前記ステップ（ｉ）、前記ステップ（ｉｉ）、および、前記ステップ（ｉｉｉ）を同時に実行する、請求項１に記載のタトゥー除去方法。
【請求項７】
被処置者の皮膚からタトゥーを除去するためのシステムであって、該システムは、
低温プラズマ生成コンポーネントと、
処置コンポーネントと、を備え、
前記低温プラズマ生成コンポーネントは、前記処置コンポーネントに低温プラズマを提供し、前記処置コンポーネントは、被処置者のタトゥーが入った真皮に、タトゥーインク粒子を脱落させて分解するのに有効量の前記低温プラズマを送達して、前記タトゥーを検出不可、不可視、および／または、識別不能にし、およびさらに任意選択で
抽出コンポーネントまたは流体送達コンポーネントおよび抽出コンポーネントを含む、タトゥー除去システム。
【請求項８】
前記低温プラズマを適用している間、および／または、前記低温プラズマの適用後に、前記流体送達コンポーネントが、前記処置コンポーネントに流動化液を提供し、前記処置コンポーネントが、前記被処置者のタトゥーが入った真皮に前記流動化液を送達する、請求項７に記載のタトゥー除去システム。
【請求項９】
前記低温プラズマを適用している間、および／または、前記低温プラズマの適用後に、前記抽出コンポーネントが、前記処置コンポーネントに吸引力を付与し、前記処置コンポーネントが、前記被処置者のタトゥーが入った真皮を吸引し、脱落して分解されたインク粒子およびその副生成物を前記真皮から除去する、請求項８に記載のタトゥー除去システム。
【請求項１０】
前記流動化液が、滅菌水、生理食塩水、または、緩衝水溶液であるか、および任意選択で
脱落して分解されたインク粒子およびその副生成物の、前記真皮からの流動効率および除去効率を向上させる１種以上の界面活性剤である、請求項８または９に記載のタトゥー除去システム。
【請求項１１】
前記プラズマ生成コンポーネントが、前記処置コンポーネント内に組み込まれており、および任意選択で
前記プラズマ生成コンポーネント、前記流体送達コンポーネント、および、前記抽出コンポーネントが、１つのハウジングに組み込まれており、それらの前記コンポーネントが前記処置コンポーネントに連結および接続され、または
前記プラズマ生成コンポーネント、前記流体送達コンポーネント、および、前記抽出コンポーネントが、前記処置コンポーネント内に組み込まれている、請求項７に記載のタトゥー除去システム。
【請求項１２】
前記処置コンポーネントがペン型またはワンド型であり、処置端を備え、および任意選択で
前記処置端が、前記被処置者のタトゥーが入った皮膚を穿孔する１本以上のニードルまたはプローブ状構造を含む、カートリッジユニットを備える、請求項７〜１１に記載のタトゥー除去システム。
【請求項１３】
前記カートリッジユニットが取り外し可能、交換可能、および／または、使い捨て可能である、請求項１２に記載のタトゥー除去システム。
【請求項１４】
前記１本以上のニードルまたはプローブ状構造が、前記タトゥーの除去処置の間に、発振および／または脈動することができる、請求項１２に記載のタトゥー除去システム。
【請求項１５】
前記１本以上のニードルまたはプローブ状構造が、それぞれ複数のシースニードルにより形成されている、請求項１４に記載のタトゥー除去システム。
【手続補正書】
【提出日】令和1年5月13日(2019.5.13)
【手続補正１】
【補正対象書類名】特許請求の範囲
【補正対象項目名】全文
【補正方法】変更
【補正の内容】
【特許請求の範囲】
【請求項１】
軟組織を骨に固定するためのアンカーシステムであって、
非配備形態と配備形態とを有するインプラントであって、当該インプラントが、前記配備形態にあるとき隣接する骨に固定可能である、インプラントと、
前記インプラントに接続された芯であって、当該芯が、収縮非配備形態と拡張配備形態との間で可動な拡張表面領域を有する第１部分と、前記第１部分を前記インプラントに接続する第２部分と、を備え、当該芯の第１部分が、細胞が前記骨内から前記骨と軟組織との間の界面へ移行するための経路を与えて前記骨及び軟組織の界面における治癒を促進するように適合された材料で構成される、芯と、
前記芯の周りに配置されて、前記芯が所望の骨及び軟組織の界面に隣接する位置へ挿入される際に前記芯を保護する遮蔽構造体と、
を備える、アンカーシステム。
【請求項２】
前記遮蔽構造体がシースを備える、請求項１に記載のアンカーシステム。
【請求項３】
前記シースが、前記シースの中に配置された複数の開口を含む、請求項２に記載のアンカーシステム。
【請求項４】
配備前に前記インプラント及び前記芯をそれらの非配備形態において所定の位置に保持するスリーブを含むインサータを更に備える、請求項１に記載のアンカーシステム。
【請求項５】
前記インプラントを配備するための近位アクチュエータを更に備える、請求項４に記載のアンカーシステム。
【請求項６】
前記インサータが近位方向へ引き戻されたとき、前記芯の第１部分がその拡張配備形態へ動かされる、請求項４に記載のアンカーシステム。
【請求項７】
前記芯が、その中に配置された整列ファイバを有する重合体から形成された折り畳み可能な薄い足場シートを備え、前記芯の第１部分がパドル部分を備え、前記芯の第２部分が細長部分を備え、前記芯の第２部分が、前記芯がその非配備形態にあるときに、前記シースの対応する細長部分と係合する、請求項２に記載のアンカーシステム。
【請求項８】
前記芯のパドル部分がその拡張配備形態にあるとき、前記パドル部分が骨面と隣接する軟組織材との間に挟まれるように適合され、前記パドル部分の中に配置された整列ファイバが、前記骨面内の骨髄から前記軟組織への細胞の移行方向と整列するように適合される、請求項７に記載のアンカーシステム。
【請求項９】
前記芯が、前記薄い足場シートにエレクトロスピンされた８５／１５Ｌラクチド／グリコリド重合体で構成される、請求項８に記載のアンカーシステム。
【請求項１０】
前記インプラントが全縫合糸アンカーを備える、請求項１に記載のアンカーシステム。
【請求項１１】
前記芯の第２部分が、前記芯の第２部分の配備前に、前記インサータのシャフトの周りに巻き付けられる、請求項４に記載のアンカーシステム。
【請求項１２】
前記シースがＰＥＥＫの薄いシートから製造される、請求項２に記載のアンカーシステム。
【請求項１３】
前記遮蔽構造体が２ピースアンカーを備える、請求項１に記載のアンカーシステム。
【請求項１４】
前記２ピースアンカーが、遠位アンカーピースと近位アンカーピースとを備え、前記芯が、前記芯の第１部分の配備前に前記遠位アンカーピースと近位アンカーピースとの間に配置される、請求項１３に記載のアンカーシステム。
【請求項１５】
前記芯の第２部分が、前記芯の第１部分の配備前に前記遠位アンカーピースと近位アンカーピースとの間に配置される、請求項１４に記載のアンカーシステム。
【請求項１６】
配備前に前記芯の第１部分をその非配備形態において所定の位置に保持するスリーブを含むインサータを更に備える、請求項１５に記載のアンカーシステム。
【請求項１７】
軟組織アンカーシステムにおいて使用するためのインサートであって、
骨及び軟組織の界面を有する処置部位においてインプラントと一緒に埋植されるように適合された芯であって、当該芯が、収縮非配備形態と拡張配備形態との間で可動な拡張表面領域を有する第１部分と、前記第１部分に接続された第２部分と、を備え、当該芯の第１部分が、細胞が前記骨内から前記骨と軟組織との間の界面へ移行するための経路を与えて前記骨及び軟組織の界面において治癒を促進するように適合された材料で構成される、芯と、
前記芯の周りに配置されて、所望の骨及び軟組織の界面に隣接する位置へ前記芯が挿入される際に前記芯を保護する遮蔽構造体であって、当該遮蔽構造体が前記芯の第２部分に接続される、遮蔽構造体と、
を備える、インサート。
【請求項１８】
前記遮蔽構造体が２ピースアンカーを備える、請求項１７に記載のインサート。
【請求項１９】
前記２ピースアンカーが遠位アンカーピースと近位アンカーピースとを備え、前記芯が、前記芯の第１部分の配備前に前記遠位アンカーピースと近位アンカーピースとの間に配置される、請求項１８に記載のインサート。
【請求項２０】
前記芯の第２部分が、前記芯の第１部分の配備前に前記遠位アンカーピースと近位アンカーピースとの間に配置される、請求項１９に記載のインサート。